(57)【要約】【課題】光磁気ディスクに対する信号記録の高速化と低消費電力化を可能にする。【解決手段】光ビームＬを磁性膜面２ａに集光するための対物レンズ２１は、レンズ枠となるレンズホルダ部とレンズ本体部から構成されている。レンズホルダ部には、上面の互いに対向する位置に切れ込みが形成され、そこに薄板２２の両端部がそれぞれ嵌め込まれており、これにより薄板２２は光軸上を通るように対物レンズ２１に固定されている。薄板２２は、その長手方向（図中Ｘ方向）の長さがレンズ本体部の直径よりやや長くされ、例えば２０μｍ程度の厚みを有するアモルファス磁性シートなどの磁性体である。そして、光磁気ディスク２へ向かって３つの突起部を有して、側面視がＥ字形状の補助磁極をなし、磁気ヘッド部１３からの磁力線Ｍのリターンパスを構成している。【選択図】図５
2007305211.tif 000002
【特許請求の範囲】
【請求項１】
光磁気ディスクに信号を記録する光磁気ヘッド装置において、
記録信号に応じて変調された磁界を前記光磁気ディスクの記録膜面に印加する磁気ヘッドと、前記磁気ヘッドと前記光磁気ディスクの表面との距離を一定に保持するように前記光磁気ディスクの表面に摺動する摺動部とを備えた磁気ヘッド部と、
前記光磁気ディスクを挟んで前記磁気ヘッドの反対側に配置されて、前記磁気ヘッド部とともに前記光磁気ディスクの半径方向に移動可能とされ、対物レンズを介して前記光磁気ディスクの前記記録膜面に光ビームを照射する光学ピックアップと、
前記対物レンズの前記光磁気ディスク側において、その光軸上を通るように前記対物レンズに一体に架設された補助磁極と、
を有することを特徴とする光磁気ヘッド装置。
【請求項２】
前記補助磁極は、前記対物レンズのレンズ面に対して垂直に起立するように配設された磁性材の薄板からなることを特徴とする請求項１記載の光磁気ヘッド装置。
【請求項３】
前記薄板の前記対物レンズの半径方向に対する両端部は、前記対物レンズのレンズ枠にそれぞれ固定されていることを特徴とする請求項２記載の光磁気ヘッド装置。
【請求項４】
前記薄板の前記対物レンズの半径方向に対する両端部が、前記レンズ枠に設けられた切れ込み部に嵌め込まれることで、前記薄板が前記対物レンズに固定されていることを特徴とする請求項２記載の光磁気ヘッド装置。
【請求項５】
前記薄板は、前記対物レンズのレンズ面に光軸を通るように形成された溝に嵌め込まれることで、前記対物レンズに固定されていることを特徴とする請求項２記載の光磁気ヘッド装置。
【請求項６】
前記薄板は、アモルファス磁性シートからなることを特徴とする請求項２記載の光磁気ヘッド装置。
【請求項７】
前記補助磁極は、前記対物レンズの中央部で前記光磁気ディスク側に向かう中央突起部を有していることを特徴とする請求項１記載の光磁気ヘッド装置。
【請求項８】
前記補助磁極は、前記対物レンズの半径方向に対する両端部でそれぞれ前記光磁気ディスク側に向かう端部突起部を有していることを特徴とする請求項７記載の光磁気ヘッド装置。
【請求項９】
前記補助磁極は、その長手方向が、前記磁気ヘッドが備える磁性コア部材の長手方向に一致するように、前記対物レンズ上に架設されたことを特徴とする請求項１記載の光磁気ヘッド装置。
【請求項１０】
光磁気ディスクに信号を記録する光磁気ディスク記録装置において、
記録信号に応じて変調された磁界を前記光磁気ディスクの記録膜面に印加する磁気ヘッドと、前記磁気ヘッドと前記光磁気ディスクの表面との距離を一定に保持するように前記光磁気ディスクの表面に摺動する摺動部とを備えた磁気ヘッド部と、
前記光磁気ディスクを挟んで前記磁気ヘッドの反対側に配置されて、前記磁気ヘッド部とともに前記光磁気ディスクの半径方向に移動可能とされ、対物レンズを介して前記光磁気ディスクの前記記録膜面に光ビームを照射する光学ピックアップと、
前記対物レンズの前記光磁気ディスク側において、その光軸上を通るように前記対物レンズに一体に架設された補助磁極と、
を有することを特徴とする光磁気ディスク記録装置。
【発明の詳細な説明】
【技術分野】
【０００１】
本発明は、光磁気ディスクに信号を記録する光磁気ヘッド装置およびこれを具備する光磁気ディスク記録装置に関する。
【背景技術】
【０００２】
光磁気ディスクに信号を記録するための磁気ヘッドとしては、磁気ヘッド部に設けられた摺動体が光磁気ディスクに接触摺動することで、磁気ヘッドと記録層との間隔を一定に保つようにした摺動型の磁気ヘッドが知られている。
【０００３】
このような磁気ヘッドを備えた光磁気記録装置には、光磁気ディスクの記録層を挟んで一方に光ビームを照射する光学ピックアップが配置され、他方に外部磁界を印加する磁気ヘッドが配置される。光磁気ディスクに情報を記録するときは、磁気ヘッドから記録情報に応じて磁界の向きが変調された磁界を記録層に印加するとともに、光ピックアップから光ビームを照射する。このとき、光ビームによってキュリー温度以上に加熱されて消磁した光磁気ディスクの記録部分が、磁気ヘッドからの磁界の方向に応じて磁化される。その後、光磁気ディスクの記録部分と光ビームとの相対的な移動でキュリー温度以下に低下し、磁気ヘッドからの磁界による磁化の方向が固定され、情報の記録がなされる。
【０００４】
このような従来の光磁気記録装置の光学ピックアップは、一般的に、トラッキング調整機能とフォーカシング調整機能を備えており、これにより磁性膜面上の正確な位置に光ビームを集光できるようにしている。
【０００５】
図７は、磁気ヘッド部と光学ピックアップに内蔵される対物レンズを拡大して示す図である。
光学ピックアップには、光磁気ディスク２００に出射した光ビームＬの反射光を複数のフォトダイオードで受け、その受光量に応じて対物レンズ２１０を図７の矢印Ｘ，Ｙで示すディスク半径方向およびフォーカシング方向などに移動させることで、光ビームＬが記録トラック上に正しく結像するように微調整する機能が設けられている。これにより、記録トラックが狭小化されて記憶容量が高められた光磁気ディスク２００への記録に対応していた。
【０００６】
また、磁気ヘッド部２２０は、励磁コイル２２１と磁性コア２２２とを備えている。そして、磁性コア２２２から発生された磁界の垂直磁界成分が、光磁気ディスク２００の磁性膜面２０１に印加されることで、信号が記録される。
【０００７】
しかし、磁性コア２２２から発生された磁力線Ｍは、磁性コア２２２の背面（図中上側）やサイドポールの方向に進んでいく。このため、十分な磁力を発生させないと、記録点における磁界の垂直成分が弱くなり、記録特性を維持するためには、励磁コイル２２１に大きな電流を流さなくてはならないという問題があった。
【０００８】
このような問題に対して、光磁気ディスクを挟んで光学ピックアップの対向する位置に、垂直磁界印加用の磁気回路を光学ピックアップのアクセス方向に沿ってそのアクセス領域をカバーするだけの長さだけバー状に設け、さらに、補助磁界印加装置を対物レンズの周囲を囲うように光学ピックアップに固定して設けることで、変調磁界の垂直性を失わないで、強い磁界を与えるようにした光磁気記録装置が考えられていた（例えば、特許文献１参照）。
【特許文献１】特開昭６１−２８４８０１号公報（第２頁、第１図）
【発明の開示】
【発明が解決しようとする課題】
【０００９】
しかしながら、対物レンズの周囲だけに補助磁界印加装置を設けた従来の光磁気記録装置では、図７に示すような摺動型の磁気ヘッド部２２０にそれを適用したとしても、記録点に十分な変調磁界の垂直成分を与えるには不十分であった。特に、最近では記録の高速化のために記録信号の周波数を高めることが要求されており、高周波かつ十分な大きさの変調磁界を発生させるためには、磁気ヘッド部の励磁コイルや磁性コアが大きくなることや、消費電力が増大してしまうことが大きな問題であった。
【００１０】
本発明はこのような点に鑑みてなされたものであり、光磁気記録の高速化と低消費電力化を可能にする光磁気ヘッド装置および光磁気ディスク記録装置を提供することを目的とする。
【課題を解決するための手段】
【００１１】
本発明では、上記問題を解決するために、光磁気ディスクに信号を記録する光磁気ヘッド装置において、記録信号に応じて変調された磁界を前記光磁気ディスクの記録膜面に印加する磁気ヘッドと、前記磁気ヘッドと前記光磁気ディスクの表面との距離を一定に保持するように前記光磁気ディスクの表面に摺動する摺動部とを備えた磁気ヘッド部と、前記光磁気ディスクを挟んで前記磁気ヘッドの反対側に配置されて、前記磁気ヘッド部とともに前記光磁気ディスクの半径方向に移動可能とされ、対物レンズを介して前記光磁気ディスクの前記記録膜面に光ビームを照射する光学ピックアップと、前記対物レンズの前記光磁気ディスク側において、その光軸上を通るように前記対物レンズに一体に架設された補助磁極とを有することを特徴とする光磁気ヘッド装置が提供される。
【００１２】
このような光磁気ヘッド装置では、光磁気ディスクの記録膜面に対して、光学ピックアップから対物レンズを介して光ビームが照射されるとともに、磁気ヘッド部の磁気ヘッドから記録信号に応じて変調された磁界が印加されることで、光磁気ディスクに信号が記録される。また、磁気ヘッド部の摺動部が光磁気ディスクの表面に摺動することで、磁気ヘッドと光磁気ディスクの表面との距離が一定に保持される。補助磁極は、光学ピックアップの対物レンズの光磁気ディスク側において、対物レンズの光軸上を通るようにその対物レンズに一体に架設される。この補助磁極により、磁気ヘッドからの発生磁界による磁力線のリターンパスが構成される。
【発明の効果】
【００１３】
本発明の光磁気ヘッド装置によれば、対物レンズと光磁気ディスクとの間に配設された補助磁極により、磁気ヘッドからの発生磁界による磁力線のリターンパスが構成され、しかも、その補助磁極が光軸上を通るように対物レンズに架設されるので、光磁気ディスクの記録膜面に形成される光ビームのスポットにおいて、磁気ヘッドから発生される垂直磁界成分を強くすることができる。したがって、電力消費量を上昇させることなく、記録信号の周波数を高めて記録速度を高速化することができる。
【発明を実施するための最良の形態】
【００１４】
以下、図面を参照してこの発明の実施の形態について説明する。
最初に、一般的な光磁気記録再生装置の構成および記録再生動作の概略について説明する。
【００１５】
図１は、光磁気記録再生装置の記録再生信号系および制御系の概略構成を示すブロック図である。
図１において、スピンドルモータ１によって一定線速度に回転されるＭＤ（Mini Disc，ソニー株式会社の登録商標）などの光磁気ディスク２を挟んで、書き込み情報を磁気信号に変換する記録用の磁気ヘッド３と、レーザ光Ｌを集光する対物レンズを有する光学ピックアップ４とが配置されている。この磁気ヘッド３と光学ピックアップ４とは、送りモータ５によって、光磁気ディスク２の半径方向に移動するようになっている。
【００１６】
最初に、光磁気ディスク２に対する光学ピックアップ４の再生動作について説明する。光磁気ディスク２の記録用溝には予めプリグルーブが形成されており、このプリグルーブに対応するＲＦ（Radio Frequency）信号が光学ピックアップ４で再生され、ＲＦアンプ６で増幅され２値化されてアドレスデコーダ７に供給される。アドレスデコーダ７からアドレス信号とＦＭキャリア信号とがドライブコントローラ８に供給される。
【００１７】
ドライブコントローラ８は、図示しないエンコーダ、デコーダおよびＣＰＵ（Central Processing Unit）等を有し、アドレスデコーダ７からのアドレス信号とＦＭキャリア信号に基づき、サーボ回路９を通じて、スピンドルモータ１の速度制御、送りモータ５を通じての光学ピックアップ４の位置制御を行う。
【００１８】
また、光磁気ディスク２に記録されている１または０の磁気信号が光学ピックアップ４で１または０の電気信号に再生され、この再生信号がＲＦ信号としてＲＦアンプ６を通じてドライブコントローラ８に供給される。ドライブコントローラ８は、供給されたＲＦ信号を上記デコーダによりデコードして、光磁気ディスク２に記録されていた磁気信号を情報信号として再生する。
【００１９】
つぎに、光磁気ディスク２に対する記録動作について説明する。
外部から供給される記録情報信号は、ドライブコントローラ８でエンコードされた後、２値電圧信号としてヘッド駆動回路１０に供給される。ヘッド駆動回路１０はこの２値電圧信号を２値電流信号に変換し、リード線１０ａ，１０ｂを通じて磁気ヘッド３に供給している。
【００２０】
一方、光学ピックアップ４とスピンドルモータ１には上記したサーボ制御がかけられており、光磁気ディスク２の記録層には、光学ピックアップ４からレーザ光Ｌが照射されるとともに、磁界変調オーバーライト磁気ヘッドである記録用の磁気ヘッド３により、上記２値電流信号に応じて磁界の向きを変調された外部磁界が印加される。光磁気ディスク２の記録層では、レーザ光Ｌによってキュリー温度以上に加熱されて保磁力を消失した部分が、磁気ヘッド３からの磁界の方向に応じて磁化された後、レーザ光Ｌの相対的な移動でキュリー温度以下に低下することによって磁化の方向が固定され、信号の記録がなされる。
【００２１】
図２は、実施の形態に係る光磁気ディスク記録装置の全体を示す平面図である。
この光磁気ディスク記録装置は、光磁気ディスク２に信号を記録する摺動型の磁気ヘッド装置３０を備えている。光磁気ディスク２は表面に開口２０ａを有するディスクカートリッジ２０に収容され、このディスクカートリッジ２０とともに光磁気ディスク記録装置に着脱可能に装着される。
【００２２】
また、この光磁気ディスク２を挟んで、一方には光ビームを照射する光学ピックアップ４が配置され、他方には外部磁界を印加する磁気ヘッド装置３０が配置されている。さらに、この光磁気ディスク記録装置は、光学ピックアップ４の照射光（レーザ光）の発光および検出信号の受光を行う発光部・受光部４０と、光学ピックアップ４および磁気ヘッド装置３０を案内するガイド部材５ａ，５ｂと、磁気ヘッド装置３０を駆動するための送りモータ５とを備えている。磁気ヘッド装置３０および光学ピックアップ４は、信号記録時においては、送りモータ５の駆動力によりガイド部材５ａ，５ｂに沿って、光磁気ディスク２の半径方向（図の矢印方向）に同時に移動される。
【００２３】
図３は、光磁気ディスク記録装置に用いられる磁気ヘッド装置の構成を示す側面図である。また、図４は、この磁気ヘッド装置の構成を示す平面図である。
光磁気ディスク記録装置の磁気ヘッド装置３０は、光学ピックアップ４との連結ジョイント部１１と一体のベースプレート１１ａ、およびベースプレート１１ａに固定されたサスペンション１２とを有し、さらにこのサスペンション１２の遊端には、磁界を発生するための磁気ヘッド部１３が内蔵されたスライダ１４が固定されている。これにより、磁気ヘッド装置３０の磁界発生部の直下に、光学ピックアップ４の光ビーム出射部（対物レンズ２１）が配置された状態で、磁気ヘッド装置３０と光学ピックアップ４とが一体となってディスク半径方向に移動される。
【００２４】
スライダ１４は、摩擦抵抗の低い樹脂などからなり、このスライダ１４の下面が光磁気ディスク２の表面に摺動することで、スライダ１４の内部の磁気ヘッドと光磁気ディスク２の記録層とが一定の間隔を保持するようになっている。また、サスペンション１２は、その少なくとも一部に弾性部を備えており、スライダ１４を所定の圧力で光磁気ディスク２の表面に付勢している。
【００２５】
また、この磁気ヘッド装置３０には、サスペンション１２を跳ね上げるリフタ１５と、跳ね上げ時にサスペンション１２や磁気ヘッド部１３の位置を規定するアーム１６が設けられている。光磁気ディスク２は、ディスクカートリッジ２０に収容された状態で光磁気ディスク記録装置に対して着脱されるが、その着脱時に表裏面の開口２０ａ，２０ｂが開閉され、リフタ１５が図中右方向に移動することにより、スライダ１４とともに磁気ヘッド部１３が光磁気ディスク２の表面から離れ、ディスクカートリッジ２０と干渉しないようになっている。
【００２６】
図４に示すフレキシブル配線基板１７は、サスペンション１２の固定端側に配置された図示しないメイン基板からスライダ１４まで延びている。そして、メイン基板に設けられたヘッド駆動回路１０からの記録信号が、フレキシブル配線基板１７を介して磁気ヘッド部１３に供給されている。
【００２７】
この光磁気記録装置の光学ピックアップ４は、さらに外部磁界を印加する磁気ヘッド部１３に対して光磁気ディスク２を挟んで対向する側に、光ビーム出射部である対物レンズ２１を変位させてフォーカシングおよびトラッキングの調整を行うためのレンズ調整機構１８と、リードスクリュー１９を備えている。さらに、対物レンズ２１の上には、磁気ヘッド部１３の垂直磁界成分のリターンパスを構成する補助磁極として、後述する形状の薄板２２が対物レンズ２１と一体に固定されている。
【００２８】
この光学ピックアップ４は、リードスクリュー１９により光磁気ディスク２の半径方向に移動制御される。また、光学ピックアップ４上のレンズ調整機構１８によるフォーカシング調整動作により、対物レンズ２１とともに磁気ヘッド部１３の補助磁極となる薄板２２を、ディスクカートリッジ２０の裏面の開口２０ｂ内で上下方向に位置制御している。
【００２９】
図５は、磁気ヘッド部と薄板が固定された対物レンズとを拡大して示す断面図である。また、図６は、対物レンズとその上に固定された薄板を示す斜視図である。
磁気ヘッド部１３は、図５に示すように、フェライト製のＴ型磁性コア（以下、フェライトコアという。）１３ａと、その垂直部に捲回された励磁コイル１３ｂとから構成されている。この磁気ヘッド部１３の励磁コイル１３ｂに、図１に示すヘッド駆動回路１０からヘッド駆動信号が供給され、フェライトコア１３ａの下面を磁極面とする磁気ヘッドが構成される。
【００３０】
光ビームＬを磁性膜面２ａに集光するための対物レンズ２１は、図６に示すように、レンズ枠となるレンズホルダ部２１ａとレンズ本体部２１ｂから構成されている。これらのレンズホルダ部２１ａとレンズ本体部２１ｂとは、例えば、透明な樹脂材料により一体成型される。
【００３１】
薄板２２は、その長手方向（図中Ｘ方向）の長さがレンズ本体部２１ｂの直径よりやや長くされ、例えば、２０μｍ程度の厚みを有する、アモルファス磁性シートなどの磁性体からなる。この薄板２２は、光磁気ディスク２へ向かって３つの突起部２２ａ，２２ｂ，２２ｃを有する、側面視がＥ字形状の補助磁極をなしている。そして、対物レンズ２１のレンズホルダ部２１ａには、図５に示すように、その上面の互いに対向する位置に切れ込み部２１ｃ，２１ｄが形成され、そこに薄板２２の両端部がそれぞれ嵌め込まれている。さらに、薄板２２は、図６に示すように、紫外線硬化樹脂などの接着剤２３によってレンズホルダ部２１ａに固定されている。
【００３２】
薄板２２の突起部２２ａ，２２ｂ，２２ｃのうち、第１の突起部２２ａは、レンズ本体部２１ｂにより集光される光ビームの光軸上に位置し、左右端部に位置する第２および第３の突起部２２ｂ，２２ｃは、それぞれフェライトコア１３ａの図５中左右方向の長さに相当する間隔をなしている。そして、これらの突起部２２ａ，２２ｂ，２２ｃは、いずれもレンズ調整機構１８による対物レンズ２１のフォーカシング調整時に光磁気ディスク２の裏面に突き当たらないように、例えば０．２ｍｍ程度の高さに形成されている。
【００３３】
なお、この光学ピックアップ４には、光磁気ディスク２に出射した光ビームＬの反射光を複数のフォトダイオードで受け、その受光量に応じて対物レンズ２１を図５の矢印Ｘ，Ｙで示すディスク半径方向およびフォーカシング方向などに移動させることで、光ビームＬが光磁気ディスク２の記録トラック上に正しく結像するように微調整する機能が設けられている。このため、薄板２２と光磁気ディスク２との間隔は、フォーカシング調整機能により常に一定の距離になるように制御される。
【００３４】
こうして、薄板２２は、光磁気ディスク２の裏面に近接するとともに、その光ビームＬの光軸上を横切るように配置され、磁気ヘッド部１３の垂直磁界成分のリターンパスを構成する補助磁極として機能する。すなわち、対物レンズ２１の光軸上に設けられた第１の突起部２２ａにより、光ビームＬのスポットである信号記録点において、磁気ヘッド部１３からの変調磁界の垂直性を高めることができる。さらに、フェライトコア１３ａの図５中左右方向の長さに相当する間隔で設けられた第２および第３の突起部２２ｂおよび２２ｃにより、薄板２２を通った磁力線Ｍを、対物レンズ２１の光軸から十分離れた位置からフェライトコア１３ａの両端付近に戻すことができるようになり、信号記録点における磁力線Ｍの垂直磁界成分を一層高めることができ、発生磁界効率が向上される。
【００３５】
また、薄板２２は、光ビーム出射部である対物レンズ２１のレンズ径と比較して極めて薄く形成され、しかも対物レンズ２１に近接されて、光ビームＬの焦点位置から十分に離れた位置に配置されているため、対物レンズ２１の光学特性への影響を極めて小さくでき、フォーカシング機能を妨害するなどの悪影響を及ぼすおそれもない。しかも、薄板２２が対物レンズ２１に固定されていることで、薄板２２と光磁気ディスク２との間隔がフォーカシング調整機能により一定に保たれるので、磁気ヘッド部１３からの発生磁界効率を安定的に向上させることが可能になる。
【００３６】
以上説明したように、本実施の形態に係る磁気ヘッド装置によれば、対物レンズ２１の周囲だけに補助磁界印加装置を設けていた従来装置と比較して、光学ピックアップ４側にリターンパスを構成する補助磁極として、軽量の薄板２２だけを対物レンズ２１に固定して配置するようにしたので、磁気ヘッド部１３からの変調磁界の垂直成分を大きくすることができる。また、こうした補助磁極を設けた磁気ヘッド装置を用いることで、発生磁界効率が向上されるので、消費電力を増大させることなく、記録信号の周波数を高めて、記録速度を高速化できるようになる。さらに、磁気ヘッド部１３における発熱を抑制することもできる。
【００３７】
なお、上記の実施の形態では、対物レンズ２１のレンズホルダ部２１ａに薄板２２を固定したが、この他に例えば、レンズ本体部２１ｂの中央部に直線上の溝を設け、その溝に薄板２２を嵌め込むようにしてもよい。このように、薄板２２と対物レンズ２１との固定手法には、種々の変形が考えられる。また、薄板２２に設けられる突起部２２ａ，２２ｂ，２２ｃの形状や高さも、種々の変形が考えられる。例えば、両端の突起部２２ｂ，２２ｃの高さより、中央の突起部２２ａの高さを高くしてもよい。また、複数の薄板２２を光軸上で交差させて、対物レンズ２１に固定してもよい。また、薄板２２と対物レンズ２１とを同じ樹脂材料で一体成型し、薄板２２の部分にだけ磁性材料を塗布することで、薄板２２の部分を補助磁極として機能させてもよい。また、薄板２２の代わりに線状の磁性材料を補助磁極として設けてもよい。
【００３８】
また、上記の実施の形態では、ディスクカートリッジ２０に収容された光磁気ディスクを使用した場合について説明したが、ディスクカートリッジ２０を使用しないタイプの光磁気ディスクに記録する磁気ヘッド装置および光磁気ディスク記録装置に本発明を適用することもできる。また、再生装置を兼用する光磁気ディスク記録再生装置に本発明を適用することもできる。
【図面の簡単な説明】
【００３９】
【図１】光磁気記録再生装置の記録再生信号系および制御系の概略構成を示すブロック図である。
【図２】実施の形態に係る光磁気ディスク記録装置の全体を示す平面図である。
【図３】光磁気ディスク記録装置に用いられる磁気ヘッド装置の構成を示す側面図である。
【図４】磁気ヘッド装置の構成を示す平面図である。
【図５】磁気ヘッド部と薄板が固定された対物レンズとを拡大して示す断面図である。
【図６】対物レンズとその上に固定された薄板を示す斜視図である。
【図７】磁気ヘッド部と光学ピックアップに内蔵される対物レンズを拡大して示す図である。
【符号の説明】
【００４０】
１……スピンドルモータ、２……光磁気ディスク、３……磁気ヘッド、４……光学ピックアップ、５……送りモータ、５ａ，５ｂ……ガイド部材、６……ＲＦアンプ、７……アドレスデコーダ、８……ドライブコントローラ、９……サーボ回路、１０……ヘッド駆動回路、１１……連結ジョイント部、１１ａ……ベースプレート、１２……サスペンション、１３……磁気ヘッド部、１３ａ……フェライトコア、１３ｂ……励磁コイル、１４……スライダ、１５……リフタ、１６……アーム、１７……フレキシブル配線基板、１８……レンズ調整機構、１９……リードスクリュー、２０……ディスクカートリッジ、２１……対物レンズ、２１ａ……レンズホルダ部、２１ｂ……レンズ本体部、２２……薄板、２３……接着剤、３０……磁気ヘッド装置、４０……発光部・受光部
【図１】
2007305211.tif 000003
【図２】
2007305211.tif 000004
【図３】
2007305211.tif 000005
【図４】
2007305211.tif 000006
【図５】
2007305211.tif 000007
【図６】
2007305211.tif 000008
【図７】
2007305211.tif 000009